(57)【要約】【課題】  ユーザに対して直感的かつ簡易な操作性を提供すること。【解決手段】  実施形態の医用画像処理装置は、被写体を撮影する第１撮影手段と、被写体のうち被検体を撮影し、医用画像を生成する第２撮影手段と、第１撮影手段で撮影された被写体の画像を解析することにより、操作者が前記被検体の部位を指定する動作を検出し、検出した動作により指定された部位を特定する部位特定手段と、生成された医用画像と、特定された部位を示す部位情報とを対応付けて記憶する記憶手段と、を具備することを特徴とする。【選択図】図１
2015039615.tif 000002
【特許請求の範囲】
【請求項１】
被写体を撮影する第１撮影手段と、
前記被写体のうち被検体を撮影し、医用画像を生成する第２撮影手段と、
前記第１撮影手段で撮影された前記被写体の画像を解析することにより、操作者が前記被検体の部位を指定する動作を検出し、前記検出した動作により指定された部位を特定する部位特定手段と、
前記生成された医用画像と、前記特定された部位を示す部位情報とを対応付けて記憶する記憶手段と、
を具備することを特徴とする医用画像処理装置。
【請求項２】
被写体を撮影する第１撮影手段と、
前記被写体のうち被検体を撮影し、撮影対象となった部位を示す部位情報を付帯情報として有する医用画像を生成する第２撮影手段と、
前記生成された医用画像と前記部位情報とを対応付けて記憶する記憶手段と、
操作者の操作に応じて前記第１撮影手段から送信され、読出対象の部位を指定する旨の前記操作者の動作を示す動作情報の入力を受け付けると、前記動作情報により示される動作により指定される部位を示す前記部位情報に対応付けられた前記医用画像を前記記憶手段から取得する取得手段と、
前記取得された医用画像を表示させる表示手段と、
を具備することを特徴とする医用画像処理装置。
【請求項３】
前記部位特定手段は、
前記被写体が前記操作者と前記被検体とを有するとき、予め定められた位置関係に基づいて、前記被写体を、前記操作者と前記被検体とに分類した上で、前記操作者の動作が撮影対象として指定した前記部位を特定することを特徴とする請求項１または請求項２に記載の医用画像処理装置。
【請求項４】
前記被検体に関して、前記記憶手段に記憶された少なくとも１つの医用画像を、人体モデル画像にマッピングしたマッピングデータを生成するマッピングデータ生成手段を更に具備することを特徴とする請求項１または請求項３に記載の医用画像処理装置。
【請求項５】
前記医用画像を、前記操作者の操作に応じて、所望の角度から観察したようにして表示させる表示手段をさらに具備することを特徴とする請求項１に記載の医用画像処理装置。
【請求項６】
前記医用画像処理装置は、超音波診断装置であることを特徴とする請求項１および請求項３乃至請求項５のうちいずれか一項に記載の医用画像処理装置。
【請求項７】
前記医用画像処理装置は、Ｘ線ＣＴ装置またはＭＲＩ装置であることを特徴とする請求項２に記載の医用画像処理装置。
【請求項８】
被写体の動作を認識し、当該認識した動作を示す動作情報を生成する複数の動作認識装置と、医用画像処理装置と、前記医用画像処理装置により撮影された複数の医用画像を記憶する画像サーバ装置と、医用画像表示装置とが通信可能に接続された医用画像表示システムであって、
前記医用画像処理装置は、
被検体を撮影し、前記医用画像を生成する撮影手段と、
前記撮影手段により撮影対象となった部位を指定する旨の動作を示す動作情報を前記医用画像処理装置本体の近傍に位置する前記動作認識装置から取得する動作情報取得手段と、
前記取得された動作情報に基づいて、当該動作情報により示される動作が撮影対象として指定した部位を特定する部位特定手段と、
前記生成された医用画像と、当該医用画像を撮影したときに取得された動作情報と、当該動作情報に基づいて特定された部位を示す部位情報とを対応付けて前記画像サーバ装置に書込む書込手段と
を備え、
前記医用画像表示装置は、
操作者の操作に応じて前記医用画像表示装置本体の近傍に位置する前記動作認識装置から送信され、読出対象の部位を指定する旨の操作者の動作を示す動作情報の入力を受け付けると、当該入力を受け付けた動作情報により示される動作により指定される部位を示す部位情報に対応付けられた前記医用画像を前記画像サーバ装置から取得する医用画像取得手段と、
前記取得された医用画像を表示させる表示手段と
を備えたことを特徴とする医用画像表示システム。
【請求項９】
被写体の動作を認識し、当該認識した動作を示す動作情報を生成する動作認識装置と、医用画像処理装置と、前記医用画像処理装置により撮影された複数の医用画像を記憶する画像サーバ装置と、医用画像表示装置とが通信可能に接続された医用画像表示システムであって、
前記医用画像処理装置は、
被検体を撮影し、撮影対象となった部位を示す部位情報を付帯情報として有する前記医用画像を生成する撮影手段と、
前記生成された医用画像と当該医用画像の撮影時に撮影対象となった部位を示す部位情報とを対応付けて前記画像サーバ装置に書込む書込手段と
を備え、
前記医用画像表示装置は、
操作者の操作に応じて前記医用画像表示装置本体の近傍に位置する前記動作認識装置から送信され、読出対象の部位を指定する旨の操作者の動作を示す動作情報の入力を受け付けると、当該入力を受け付けた動作情報により示される動作により指定される部位を示す部位情報に対応付けられた前記医用画像を前記画像サーバ装置から取得する取得手段と、
前記取得された医用画像を表示させる表示手段と
を備えたことを特徴とする医用画像表示システム。
【発明の詳細な説明】
【技術分野】
【０００１】
本発明の実施形態は、医用画像処理装置及び医用画像表示システムに関する。
【背景技術】
【０００２】
近年、マウスやキーボード等を使用しないユーザインタフェース（以下、NUI: Natural User Interfaceと表記）が普及してきている。このＮＵＩを用いることで、操作者（ユーザ）は、直感的にパーソナルコンピュータ（PC: Personal Computer）等を操作することができる。
【０００３】
医用分野においては、ＮＵＩとして人物や物体の動きをデジタル的に記録するモーションキャプチャ（motion capture）（例、Kinect（登録商標）等）を用いた医用画像表示システム等が開発されている。
【０００４】
この医用画像表示システムでは、例えばディスプレイ（Display）に表示された医用画像を別の医用画像に切替える際に、ユーザにマウスやキーボード等の入力インタフェースを使用させることなく、すなわち、ユーザは入力インタフェースに触れることなく医用画像を切替えることができる。
【先行技術文献】
【特許文献】
【０００５】
【特許文献１】特開平９−５６６９７号公報
【発明の概要】
【発明が解決しようとする課題】
【０００６】
しかしながら、上記した医用画像表示システムは、マウスやキーボード等の入力インタフェースを使用する医用画像表示システムに比べて操作性の自由度が高いため、ユーザがこの操作性に慣れるまで、ユーザが意図した通りの動作を実行しない（例えば、ユーザが所望する医用画像とは別の医用画像をディスプレイに表示してしまう等）恐れがある。
【０００７】
すなわち、上記した医用画像表示システムでは、ユーザに対して直感的かつ簡易な操作性を提供することができないという不都合がある。
【０００８】
目的は、ユーザに対して直感的かつ簡易な操作性を提供し得る、つまり、ユーザが極力入力インタフェースに触れることなく、かつ簡易に操作可能な医用画像表示システム及び医用画像処理装置を提供することである。
【課題を解決するための手段】
【０００９】
実施形態の医用画像処理装置は、被写体を撮影する第１撮影手段と、前記被写体のうち被検体を撮影し、医用画像を生成する第２撮影手段と、前記第１撮影手段で撮影された前記被写体の画像を解析することにより、操作者が前記被検体の部位を指定する動作を検出し、前記検出した動作により指定された部位を特定する部位特定手段と、前記生成された医用画像と、前記特定された部位を示す部位情報とを対応付けて記憶する記憶手段と、を具備することを特徴とする。
【図面の簡単な説明】
【００１０】
【図１】第１の実施形態に係る医用画像表示システムの構成例を示す模式図である。
【図２】同実施形態に係る動作認識装置によって生成される動作情報の一例を示す模式図である。
【図３】同実施形態に係る動作認識装置によって生成される動作情報の一例を示す模式図である。
【図４】同実施形態に係る医用画像処理装置によって生成される医用画像の一例を示す模式図である。
【図５】同実施形態に係る画像サーバ装置に記憶される患者情報の一例を示す模式図である。
【図６】同実施形態に係る医用画像表示装置によって生成されるマッピングデータの一例を示す模式図である。
【図７】同実施形態に係る医用画像表示装置によって生成されるマッピングデータの一例を示す模式図である。
【図８】同実施形態に係る医用画像表示システムの動作の一例を示すフローチャートである。
【図９】同実施形態に係る医用画像表示装置の一機能を説明するための模式図である。
【図１０】同実施形態に係る医用画像表示装置の一機能を説明するための模式図である。
【図１１】同実施形態に係る医用画像表示装置の一機能を説明するための模式図である。
【図１２】第２の実施形態に係る医用画像表示システムの構成例を示す模式図である。
【図１３】同実施形態に係る医用画像表示装置の一機能を説明するための模式図である。
【図１４】同実施形態に係る医用画像表示システムの動作の一例を示すフローチャートである。
【発明を実施するための形態】
【００１１】
［第１の実施形態］
図１は、第１の実施形態に係る医用画像表示システムの構成例を示す模式図であり、図２及び図３は、同実施形態に係る動作認識装置によって生成される動作情報の一例を示す模式図であり、図４は、同実施形態に係る医用画像診断装置によって生成される医用画像の一例を示す模式図であり、図５は、同実施形態に係る画像サーバ装置に記憶される患者情報の一例を示す模式図であって、図６及び図７は、同実施形態に係る医用画像表示装置によって生成されるマッピングデータの一例を示す模式図である。
【００１２】
図１に示すように、医用画像表示システムは、複数の動作認識装置１０ａ，１０ｂと、医用画像診断装置２０と、画像サーバ装置３０と、医用画像表示装置４０とを備えており、各装置１０ａ，１０ｂ，２０〜４０は、ネットワーク（例、院内ネットワーク等）５０を介して接続される。
【００１３】
尚、これら医用画像診断装置２０、画像サーバ装置３０、医用画像表示装置４０を総称して医用画像処理装置という。なお、画像サーバ装置３０は、医用画像診断装置２０及び医用画像表示装置４０の両方に、又は医用画像診断装置２０あるいは医用画像表示装置４０のどちらか一方に含まれるとしても良い。以下に、医用画像表示システムに含まれる各装置１０ａ，１０ｂ，２０〜４０の詳細な機能について説明する。
【００１４】
なお、動作認識装置１０ａおよび１０ｂは、医用画像診断装置２０および医用画像表示装置４０にそれぞれ搭載されてもよい。また、医用画像診断装置２０は、超音波診断装置およびＸ線コンピュータ断層撮影装置（Ｘ線ＣＴ装置）、磁気共鳴イメージング装置（ＭＲＩ装置）などの各種医用画像診断装置であってもよい。
【００１５】
動作認識装置１０ａ，１０ｂは、図１に示すように、主に、医用画像診断装置２０の近傍と医用画像表示装置４０の近傍とに設置される。なお、動作認識装置１０ａ，１０ｂとしては、例えばKinect（登録商標）が用いられる。動作認識装置１０ａ，１０ｂは、被写体の動作を認識し、例えば図２や図３に示すように、当該認識した動作を示す動作情報を生成する機能を有する。医用画像診断装置２０の近傍に設置される動作認識装置１０ａの被写体は、医用画像診断装置２０の操作者（例、医師、看護師等）や被検体（例、患者等）であり、動作認識装置１０ａは、例えば図２に示す動作情報ｄ１を生成する。また、医用画像表示装置４０の近傍に設置される動作認識装置１０ｂの被写体は、医用画像表示装置４０の操作者（例、医師、看護師等）であり、動作認識装置１０ｂは、例えば図３に示す動作情報ｄ２を生成する。
【００１６】
動作認識装置１０ａ，１０ｂは、被写体を撮影する第１撮影手段と、音声認識部と、動作情報発生部と、及び通信部とを有する。第１撮影手段は、それぞれ図示していないカラー画像収集部、距離画像収集部を有する。第１撮影手段は被写体を撮影する。
【００１７】
カラー画像収集部は、超音波検査などの各種検査が行われる実空間における被写体に関するカラー画像を収集する。例えば、カラー画像収集部は、カメラ装置を有している。カメラ装置は、被写体の表面で反射される可視光を複数の受光素子で検出し、検出された可視光に応じた電気信号を発生する。カメラ装置は、受光素子として、例えば、ＣＭＯＳ（Complementary Metal Oxide Semiconductor）やＣＣＤ（Charge Coupled Device）を有する。そして、カラー画像収集部は、発生された電気信号をデジタルデータに変換することにより被写体に関するカラー画像を繰り返し発生する。カラー画像は、被写体の表面の色彩の空間分布を表現する画像である。カラー画像は、ＲＧＢ（Red Green Blue）値が割り当てられた複数の画素のデータセットからなる。カラー画像は、撮影時刻に関連付けて管理される。カラー画像は、動作情報発生部に供給される。
【００１８】
距離画像収集部は、超音波検査などの各種検査が行われる空間における被写体に関する距離画像を収集する。例えば、距離画像収集部は、カメラ装置を有している。カメラ装置は、赤外線を照射し、被写体表面で反射された赤外線を複数の受光素子で検出する。カメラ装置は、受光素子として、例えば、ＣＭＯＳ（Complementary Metal Oxide Semiconductor）やＣＣＤ（Charge Coupled Device）を有する。カメラ装置は、カラー画像収集部と共用されても良い。距離画像収集部は、照射波と反射波との位相差や、照射から検出までの時間に基づいて、被写体とカメラ装置との距離を算出し、算出された距離に基づいて距離画像を繰り返し発生する。距離画像は、対象物とカメラ装置との間の距離の空間分布を示す画像である。具体的には、距離画像は、対象物とカメラ装置との間の距離値が割り当てられた複数の画素のデータセットからなる。また、距離画像収集部によって算出される距離の単位としては、例えば、メートル［ｍ］が採用される。距離画像は、撮影時刻に関連付けて管理される。距離画像は、動作情報発生部に供給される。
【００１９】
音声認識部は、周囲の音声を集音し、集音された音声をデジタルデータ（以下、音声データと呼ぶ）に変換し、音声データに音声認識技術を施して音声認識情報を発生する。具体的には、音声認識部は、複数のマイクを搭載したマイクアレイを有している。マイクアレイは、周囲の音声を集音し、集音された音声に応じた電気信号を発生し、当該電気信号を音声データに変換する。音声認識部は、音声データに既知の音声認識技術を用い、集音した音声に含まれる単語を認識する。すなわち、音声認識部は、例えば、音声認識技術によって認識された単語に関する音声データを音声認識情報として発生する。音声認識情報は、当該音声を認識した時刻に関連付けて管理される。音声認識情報は、動作情報発生部１７に供給される。
【００２０】
動作情報発生部は、人物や物体等の対象物の動作を表す動作情報を発生する。動作情報は、被写体の各特徴点の３次元情報を表現するデジタルデータである。動作情報発生部は、人体パターンを用いたパターンマッチングにより、距離画像から、人体の骨格上にある各特徴点の座標を特定する。距離画像から得られた各特徴点の座標は、距離画像の座標系（以下、距離画像座標系と呼ぶ）で表される値である。次に、動作情報発生部は、距離画像座標系における各関節の座標を、超音波検査が行われる３次元空間の座標系（以下、世界座標系と呼ぶ）で表される値に変換する。この世界座標系で表される各特徴点の座標が、被写体に関する動作情報（以下、患者動作情報と呼ぶ）を成す。動作情報発生部は、時系列の距離画像に繰り返し上記の処理を施すことにより各特徴点の時系列の座標を算出する。これにより被写体に関する時系列の動作情報が得られる。
【００２１】
上記の通り動作情報発生部は、人体パターンを用いたパターンマッチングにより、距離画像から、距離画像座標系で定義される各関節の座標を特定する。例えば、動作情報発生部は、人体パターンの人体表面と、距離画像とをパターンマッチングすることにより、距離画像に描出された被写体の人体表面の座標を得る。次に動作情報発生部は、人体パターンにおける人体表面と各関節との相対的な位置関係を利用して、距離画像に描出された人物の人体表面の座標から、当該人物内の各関節の距離画像座標系における座標を算出する。このようにして動作情報発生部は、距離画像から、人体の骨格を形成する各関節の座標を取得する。そして動作情報発生部は、距離画像座標系における各関節の座標を、世界座標系で定義される座標に変換する。動作情報発生部は、時系列の距離画像に繰り返し上記の処理を施すことにより、距離画像に描出された人物に関する時系列の動作情報を発生する。
【００２２】
医用画像診断装置２０は、図１に示すように、撮影部２１、動作情報取得部２２及び医用画像記録部２３を更に備えている。なお、本実施形態に係る医用画像診断装置２０としては、例えば、超音波診断装置等が挙げられる。以下に、医用画像診断装置２０に含まれる各部２１〜２３の詳細な機能について説明する。
【００２３】
撮影部２１（第２撮影手段）は、被検体を撮影し、例えば図４に示すように、医用画像（例、超音波診断画像）ｇ１を生成する機能を有する。
【００２４】
動作情報取得部２２は、撮影部２１により医用画像（例、医用画像ｇ１）が生成される度に、撮影対象となった部位を指定する旨の動作を示す動作情報（例、動作情報ｄ１）を、医用画像診断装置２０の近傍に設置された動作認識装置１０ａから取得する機能を有する。また、動作情報取得部２２は、取得した動作情報に基づいて、当該動作情報により示される動作が撮影対象として指定した部位を特定する機能を有する。更に、動作情報取得部２２は、取得した動作情報により示される動作が複数の被写体の動作を示すとき、予め定められた位置関係に基づいて、複数の被写体を、医用画像診断装置２０の操作者と被検体とに分類した後に、当該医用画像診断装置２０の操作者の動作が撮影対象として指定した部位を特定する機能を有する。
【００２５】
なお、予め定められた位置関係としては、例えば、「医用画像診断装置２０の正面に位置する被写体を医用画像診断装置２０の操作者とし、正面に位置しない被写体を被検体とする」や、「動作認識装置１０ａの近くに位置する被写体を医用画像診断装置２０の操作者とし、遠くに位置する被写体を被検体とする」等があり、上記した位置関係は、医用画像診断装置２０に事前情報として予め記憶されている。
【００２６】
医用画像記録部２３は、撮影部２１により撮影された医用画像（例、医用画像ｇ１）と、当該医用画像ｇ１の撮影時に取得された動作情報（例、動作情報ｄ１）と、当該動作情報ｄ１に基づいて特定された部位（例、左肩）を示す部位情報とを対応付けて画像サーバ装置３０に書込む（記録する）機能を有する。すなわち、画像サーバ装置３０には、例えば図５に示すように、患者毎に、医用画像、動作情報及び部位情報が対応付けられた少なくとも１つの患者情報ｋ１が記憶される。なお、動作情報及び部位情報は、付帯情報と称されても良い。なお、医用画像記録部２３は、医用画像と部位情報とを対応付けて記憶してもよい。
【００２７】
医用画像表示装置４０は、図１に示すように、マッピングデータ生成部４１、医用画像取得部４２及び表示部４３を更に備えている。以下に、医用画像表示装置４０に含まれる各部４１〜４３の詳細な機能について説明する。
【００２８】
マッピングデータ生成部４１は、所望の患者に関して、画像サーバ装置３０または医用画像記録部２３に記憶された少なくとも１つの医用画像を、人体モデル画像にマッピングしたマッピングデータを生成する機能を有する。人体モデル画像とは、人体を模式的に表した画像であり、医用画像表示装置４０に事前情報として予め記憶されている。
【００２９】
具体的には、マッピングデータ生成部４１は、所望の患者に関して、画像サーバ装置３０に記憶された少なくとも１つの患者情報に含まれる部位情報により示される部位に対応する人体モデル画像の部位に、当該部位に関する医用画像が画像サーバ装置３０に記憶されている旨を示すマーキングを施し（例えば、着色する等）、例えば図６に示すようなマッピングデータｍ１を生成する。図６に示す例では、マッピングデータｍ１により、左肩、右胸及び腹部に関する医用画像を、画像サーバ装置３０が記憶している旨が示される。
【００３０】
なお、マッピングデータ生成部４１により生成されたマッピングデータは、医用画像表示装置４０の操作者の操作に応じて（例えば、図示しない表示装置に表示された患者リストから所望の患者を指定する旨の入力を受け付けると）、表示部４３を介して、図示しない表示装置に適宜表示される。
【００３１】
医用画像取得部４２は、医用画像表示装置４０の操作者の操作に応じて、医用画像表示装置４０の近傍に設置される動作認識装置１０ｂから送信され、読出対象の部位を指定する旨の操作者の動作を示す動作情報（例、動作情報ｄ２）の入力を受け付けると、当該入力を受け付けた動作情報により示される動作により指定された部位を示す部位情報に対応付けられた医用画像を画像サーバ装置３０から取得する機能を有する。
【００３２】
なお、医用画像表示装置４０の操作者は、例えば、プローブと同様な形状のコントローラや、指ならびに手等を用いて、操作者自身の体に対して、読出対象の部位を指定する旨の動作を行う。これにより、患者に負担をかけることなく、直感的な操作で所望の部位の医用画像を画像サーバ装置３０から取得することができる。
【００３３】
表示部４３は、医用画像取得部４２により取得された医用画像を、図示しない表示装置に表示させる機能を有する。また、表示部４３は、マッピングデータ生成部４１により生成されたマッピングデータ（例、マッピングデータｍ１）を、図示しない表示装置に表示させる機能を有する。なお、表示部４３は、図示しない表示装置にマッピングデータｍ１を表示させた上で、図示しない表示装置に医用画像を表示させると、例えば図７に示すように、表示されたマッピングデータｍ１に施された複数のマーキングのうち、表示された医用画像に対応する部位のマーキングの色や形状等を変化させても良い。
【００３４】
なお、上記した医用画像診断装置２０及び医用画像表示装置４０は、それぞれ、図示しないＣＰＵ（Central Processing Unit）によって各部が制御され、また、図示しない操作部（例、マウスやキーボード等）を介して操作者が操作することも可能であり、更には、図示しないメモリや画像記憶装置が備えられているものとする。
【００３５】
次に、以上のように構成された医用画像表示システムの動作の一例について、図２〜図７の模式図と、図８のフローチャートとを参照しながら説明する。なお、以下に示す各種処理は、図示しないＣＰＵが予め記憶されたプログラムに従って各部を制御することで実行されるものである。
【００３６】
始めに、医用画像診断装置２０の撮影部２１は、被検体を撮影し、医用画像を生成する（ステップＳ１）。ここでは、図４に示した医用画像ｇ１が生成されたものとする。
【００３７】
続いて、動作情報取得部２２は、上記したステップＳ１の処理が実行されると、すなわち、医用画像ｇ１が生成されると、当該医用画像ｇ１を生成するために実行された撮影の対象となった部位を指定する旨の動作を示す動作情報を動作認識装置１０ａから取得する（ステップＳ２）。ここでは、上記したステップＳ１の処理時に動作認識装置１０ａにより、図２に示す動作情報ｄ１が生成されたものとし、すなわち、動作認識装置１０ａが上記したステップＳ１の処理時に動作情報ｄ１により示される動作を認識したものとし、動作情報取得部２２は動作情報ｄ１を取得する。
【００３８】
次に、動作情報取得部２２は、上記したステップＳ２の処理により取得した動作情報ｄ１により示される動作が複数の被写体による動作であるか否かを判別する（ステップＳ３）。なお、以下の説明においては、動作情報ｄ１により示される動作は、図２に示したように、複数の被写体による動作であるものとして説明する。
【００３９】
上記したステップＳ３の判別処理の結果が否を示す場合（ステップＳ３のＮＯ）、動作情報取得部２２は、上記したステップＳ２の処理により取得した動作情報により示される動作が撮影対象として指定した部位を特定する（ステップＳ４）。ステップＳ４の処理が実行されると、後述するステップＳ６の処理に進む。
【００４０】
また、上記したステップＳ３の判別処理の結果が複数の被写体による動作である旨を示す場合（ステップＳ３のＹＥＳ）、動作情報取得部２２は、予め定められた位置関係に基づいて、複数の被写体を、医用画像診断装置２０の操作者と被検体とに分類した上で、当該分類した医用画像診断装置２０の操作者の動作が撮影対象として指定した部位を特定する（ステップＳ５）。ここでは、動作情報取得部２２は、動作情報ｄ１により示される複数の被写体のうち、動作認識装置１０ａから近くに位置する被写体を医用画像診断装置２０の操作者と分類（判別）した後に、当該医用画像診断装置２０の操作者が撮影対象として指定した部位を左肩と特定する。
【００４１】
続いて、医用画像記録部２３は、医用画像ｇ１と、動作情報ｄ１と、上記したステップＳ４またはステップＳ５の処理により特定された部位を示す部位情報とを対応付けて画像サーバ装置３０に書込む（ステップＳ６）。これにより、画像サーバ装置３０には、図５に示した患者情報ｋ１が記録される。
【００４２】
上記ステップＳ１〜ステップＳ６の処理が、医用画像診断装置２０において実行される各種処理である。以降の処理は、医用画像表示装置４０において実行される処理である。
【００４３】
次に、医用画像表示装置４０のマッピングデータ生成部４１は、医用画像表示装置４０の操作者の操作により所望の患者が指定される旨の入力を受け付けると、当該指定された患者に関して、画像サーバ装置３０に記憶された少なくとも１つの患者情報に含まれる部位情報により示される部位に対応した人体モデル画像の部位に、当該部位に関する医用画像が画像サーバ装置３０に記憶されている旨を示すマーキングを施したマッピングデータを生成する（ステップＳ７）。ここでは、図６に示したマッピングデータｍ１、すなわち、左肩、右胸及び腹部に関する医用画像が画像サーバ装置３０に記憶されている旨を示すマッピングデータが生成されたものとする。なお、当該マッピングデータｍ１は、表示部４３を介して、図示しない表示装置に適宜表示される。
【００４４】
続いて、医用画像取得部４２は、医用画像表示装置４０の操作者の操作に応じて、医用画像表示装置４０の近傍に設置される動作認識装置１０ｂから送信され、読出対象の部位を指定する旨の操作者の動作を示す動作情報の入力を受け付ける（ステップＳ８）。ここでは、図３に示した動作情報ｄ２の入力を受け付けたものとする。
【００４５】
次に、医用画像取得部４２は、上記したステップＳ８の処理により入力を受け付けた動作情報ｄ２により示される動作が読出対象として指定した部位を特定し、当該特定した部位を示す部位情報に対応付けられた医用画像を画像サーバ装置３０から取得する（ステップＳ９）。ここでは、医用画像取得部４２は、動作情報ｄ２に基づいて、読出対象として指定した部位を左肩と特定し、当該特定した左肩を示す部位情報に対応付けられた医用画像ｇ１を画像サーバ装置３０から取得する。
【００４６】
しかる後、表示部４３は、上記したステップＳ９の処理により取得された医用画像ｇ１を図示しない表示装置に表示させ（ステップＳ１０）、本動作例における医用画像表示システムによる処理が終了される。なお、上記したステップＳ１０の処理により医用画像ｇ１が表示されると、上記したステップＳ７の処理により既に表示されていたマッピングデータｍ１の左肩に対応するマーキングは、図７に示すように変化する。
【００４７】
なお、医用画像診断装置２０により生成された医用画像が３次元画像であり、当該医用画像が図示しない表示装置に既に表示された上で、例えば図９に示すように、医用画像表示装置４０の操作者がコントローラを傾ける動作を行った場合、医用画像表示装置４０は、図示しない表示装置に既に表示されている医用画像ｇ２を、図９に示すように、当該操作者がコントローラを傾けた角度、すなわち、コントローラの表面と直交する方向から観察したようにして図示しない表示装置に表示させることも可能である。
【００４８】
また、本実施形態に係る医用画像表示システムは、超音波診断装置を使用した穿刺の際にも利用することができる。
【００４９】
具体的には、実際に穿刺を行う前のシミュレーション時に利用することができる。例えば、医用画像表示装置４０は、図１０に示すように、動作認識装置１０ｂにより生成された動作情報により示される動作が指定した部位の医用画像ｇ１を図示しない表示装置に表示させると共に、医用画像表示装置４０の操作者の操作に応じて、針を刺す方向を矢印で表示させることができる。これにより、実際に穿刺を行う前に穿刺のシミュレーションを行うことができる。
【００５０】
また、実際に穿刺を行っている最中にも、本実施形態に係る医用画像表示システムを効果的に利用することができる。具体的には、医用画像表示装置４０は、上記した図９を用いて説明した医用画像の表示角度を変更させる機能と、上記した図１０を用いて説明した穿刺時に針を刺す（刺している）方向を矢印で表示させる機能との両方の機能を用いて、例えば図１１に示すように、穿刺時に刺している針の方向を医用画像ｇ１で確認しつつ、医用画像ｇ２の表示角度を変更することができる。
【００５１】
なお、本実施形態に係る動作認識装置１０ａは医用画像診断装置２０に、また、動作認識装置１０ｂは医用画像表示装置４０にそれぞれ含まれるとしても良い。更に、本実施形態に係る医用画像診断装置２０、画像サーバ装置３０及び医用画像表示装置４０は、１つの装置に含まれるとしても良い。
【００５２】
以上説明した第１の実施形態によれば、ユーザが読出対象の医用画像の撮影部位を指定する旨の動作を行うだけで、所望の医用画像を表示装置に表示させることができる。
【００５３】
［第２の実施形態］
図１２は、第２の実施形態に係る医用画像表示システムの構成例を示す模式図であり、上記した第１の実施形態と同様な機能を有する又は有しても良い各部には同一の符号を付し、以下ではその説明を省略するものとする。ここでは、主に、上記した第１の実施形態とは異なる機能について説明する。
【００５４】
本実施形態に係る医用画像表示システムに含まれる医用画像診断装置２０は、上記した第１の実施形態とは異なり、ネットワーク５０を介して動作認識装置と接続されていなくても良い、すなわち、本実施形態に係る医用画像診断装置２０の近傍には動作認識装置が設置されていなくても良い。なお、動作認識装置１０ｂは、医用画像表示装置４０に搭載されてもよい。また、医用画像診断装置２０は、医用画像表示装置４０における複数のユニットのうち少なくとも一つを搭載することも可能である。
【００５５】
尚、これら医用画像診断装置２０、画像サーバ装置３０、医用画像表示装置４０を総称して医用画像処理装置という。
【００５６】
これは、本実施形態に係る医用画像診断装置２０としては、例えば、Ｘ線ＣＴ（Computed Tomography）装置やＭＲＩ（Magnetic Resonance Imaging）装置等が挙げられ、これらＸ線ＣＴ装置やＭＲＩ装置により生成される医用画像は、画像検査分野における標準規格のいわゆるＤＩＣＯＭ（Digital Imaging Communications and Medicine）画像ファイルに含まれる画像であり、予め付帯情報として撮影部位を示す部位情報が対応付けられているためである。
【００５７】
このため、本実施形態に係る医用画像診断装置２０の医用画像記録部２３は、撮影部２１により撮影された医用画像と、上記したように、当該医用画像の撮影時に撮影対象となった部位を示す部位情報とを対応付けて画像サーバ装置３０に書込む。
【００５８】
但し、医用画像診断装置２０の近傍に必ずしも動作認識装置が設置されないわけではなく、例えば、撮影時の体位（例、仰臥位、腹臥位、側臥位等）を上記した付帯情報の１つとして記録するために適宜設置されるとしても良い。これにより、本実施形態に係る医用画像表示装置４０は、上記した第１の実施形態とは異なり、撮影部位だけでなく、撮影体位に基づいて、医用画像を取得することが可能になる。
【００５９】
本実施形態に係る医用画像表示装置４０の医用画像取得部４２は、上記した第１の実施形態と同様に、医用画像表示装置４０の操作者の操作に応じて、医用画像表示装置４０の近傍に設置される動作認識装置１０ｂから送信され、読出対象の部位を指定する旨の操作者の動作を示す動作情報の入力を受け付けると、当該入力を受け付けた動作情報により示される動作により指定された部位を示す部位情報に対応付けられた医用画像を画像サーバ装置３０から取得する機能を有する。
【００６０】
但し、本実施形態に係る医用画像表示装置４０の医用画像取得部４２は、読出対象となる医用画像がＸ線ＣＴ装置やＭＲＩ装置等を用いて連続的に撮影された医用画像であるため、例えば図１３に示すように、所望の範囲に含まれる部位の医用画像ｇ’１〜ｇ’ｎを読出対象とするとしても良い。すなわち、医用画像表示装置４０の操作者の操作に応じて、医用画像表示装置４０の近傍に設置される動作認識装置１０ｂから送信され、読出対象の範囲を指定する旨の操作者の動作を示す動作情報の入力を受け付けると、当該入力を受け付けた動作情報により示される動作により指定された範囲に含まれる部位の部位情報に対応付けられた１つまたは複数の医用画像を画像サーバ装置３０から取得するとしても良い。
【００６１】
なお、上記した医用画像診断装置２０及び医用画像表示装置４０は、それぞれ、図示しないＣＰＵによって各部が制御され、また、図示しない操作部（例、マウスやキーボード等）を介して操作者が操作することも可能であり、更には、図示しないメモリや画像記憶装置が備えられているものとする。
【００６２】
次に、以上のように構成された医用画像表示システムの動作の一例について、図１３の模式図と、図１４のフローチャートとを参照しながら説明する。なお、以下に示す各種処理は、図示しないＣＰＵが予め記憶されたプログラムに従って各部を制御することで実行されるものである。
【００６３】
始めに、医用画像診断装置２０の撮影部２１は、被検体を撮影し、医用画像を生成する（ステップＳ１１）。ここでは、図１３に示す医用画像ｇ’１〜ｇ’ｎが生成されたものとする。
【００６４】
続いて、医用画像記録部２３は、医用画像ｇ’１〜ｇ’ｎと、各医用画像ｇ’１〜ｇ’ｎの撮影時に撮影対象となった部位を示す各部位情報とをそれぞれ対応付けて画像サーバ装置３０に書込む（ステップＳ１２）。
【００６５】
次に、医用画像表示装置４０の医用画像取得部４２は、医用画像表示装置４０の操作者の操作に応じて、医用画像表示装置４０の近傍に設置される動作認識装置１０ｂから送信され、読出対象の範囲を指定する旨の操作者の動作を示す動作情報の入力を受け付ける（ステップＳ１３）。ここでは、図１３に示す範囲を指定する旨の動作情報の入力を受け付けたものとする。
【００６６】
続いて、医用画像取得部４２は、上記したステップＳ１３の処理により入力を受け付けた動作情報により示される動作により指定された範囲に含まれる部位の部位情報に対応付けられた１つまたは複数の医用画像を画像サーバ装置３０から取得する（ステップＳ１４）。医用画像取得部４２は、図１３に示す範囲を指定する旨の動作情報に基づいて、読出対象として指定した範囲に含まれる部位を示す部位情報に対応付けられた医用画像ｇ’１〜ｇ’ｎを画像サーバ装置３０から取得する。
【００６７】
しかる後、表示部４３は、上記したステップＳ１４の処理により取得された医用画像ｇ’１〜ｇ’ｎを図示しない表示装置に表示させ（ステップＳ１５）、本動作例における医用画像表示システムによる処理が終了される。なお、表示部４３は、図示しない表示装置の表示領域を複数個に分割して、取得された全ての医用画像ｇ’１〜ｇ’ｎを表示させるとしても良いし、医用画像表示装置４０の操作者の操作に応じて選択された所望の医用画像を図示しない表示装置に表示させるとしても良い。
【００６８】
なお、本実施形態に係る動作認識装置１０ｂは、医用画像表示装置４０に含まれるとしても良い。更に、本実施形態に係る医用画像診断装置２０、画像サーバ装置３０及び医用画像表示装置４０は、１つの装置に含まれるとしても良い。
【００６９】
以上説明した第２の実施形態によれば、ユーザが読出対象の医用画像の撮影範囲を指定する旨の動作を行うだけで、当該指定された撮影範囲に含まれる医用画像を表示装置に表示させることができる。
【００７０】
以上説明した少なくとも１つの実施形態によれば、ユーザに対して直感的かつ簡易な操作性を提供し得る、つまり、ユーザが極力入力インタフェースに触れることなく、かつ簡易に操作可能な医用画像表示システム及び医用画像処理装置を提供することができる。
【００７１】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１０ａ，１０ｂ…動作認識装置、２０…医用画像診断装置、２１…撮影部、２２…動作情報取得部、２３…医用画像記録部、３０…画像サーバ装置、４０…医用画像表示装置、４１…マッピングデータ生成部、４２…医用画像取得部、４３…表示部。
【図１】
2015039615.tif 000003
【図２】
2015039615.tif 000004
【図３】
2015039615.tif 000005
【図４】
2015039615.tif 000006
【図５】
2015039615.tif 000007
【図６】
2015039615.tif 000008
【図７】
2015039615.tif 000009
【図８】
2015039615.tif 000010
【図９】
2015039615.tif 000011
【図１０】
2015039615.tif 000012
【図１１】
2015039615.tif 000013
【図１２】
2015039615.tif 000014
【図１３】
2015039615.tif 000015
【図１４】
2015039615.tif 000016